(57)【要約】【課題】組電池を構成するセルの不必要な放電を抑え、均等でしかも高いセル電圧を確保することができる組電池充電状態制御装置を提供することを目的とする。【解決手段】本発明の組電池充電状態制御装置は、セルを放電することでセル電圧のばらつきを低減して均等化するセルばらつき調整装置と、セルグループを放電することでグループ電圧のばらつきを低減して均等化する組電池コントローラとを備えている。そして、セルばらつき調整装置は、セル放電電流がセルグループ放電電流より大きくなるように設定されている。これにより、セル電圧の均等化がグループ電圧の均等化より必ず先に完了する。そのため、セルグループ放電時におけるセルの不必要な電荷の放電を低減してセル電圧の低下を抑えることができる。【選択図】図４
2006050716.tif 000002
【特許請求の範囲】
【請求項１】
組電池を構成する充放電可能な複数のセルからなるセルグループに接続され前記セルのセル電圧に基づいて前記セルを放電させることで前記セル電圧を調整するセル電圧調整手段と、複数の前記セルグループに接続され前記セルグループのグループ電圧に基づいて前記セルグループを放電させることで前記グループ電圧を調整するグループ電圧調整手段とを備えた組電池充電状態制御装置において、
さらに、前記セル電圧調整手段が前記セルを放電させるときに前記セルに流れるセル放電電流が、前記グループ電圧調整手段が前記セルグループを放電させるときに前記セルグループに流れるセルグループ放電電流より大きいことを特徴とする組電池充電状態制御装置。
【請求項２】
組電池を構成する充放電可能な複数のセルからなるセルグループに接続され前記セルのセル電圧に基づいて前記セルを放電させることで前記セル電圧を調整するセル電圧調整手段と、複数の前記セルグループに接続され前記セルグループのグループ電圧に基づいて前記セルグループを放電させることで前記グループ電圧を調整するグループ電圧調整手段とを備えた組電池充電状態制御装置において、
さらに、前記グループ電圧調整手段は、前記セル電圧調整手段が前記セルグループを構成する前記セルの前記セル電圧を調整した後に、前記セルグループの前記グループ電圧を調整することを特徴とする組電池充電状態制御装置。
【請求項３】
前記セル電圧調整手段は、前記セルグループを構成する前記セル間の前記セル電圧のばらつきを低減し、
前記グループ電圧調整手段は、前記組電池を構成する前記セルグループ間の前記グループ電圧のばらつきを低減することを特徴とする請求項１又は２記載の組電池充電状態制御装置。
【請求項４】
車両に搭載された組電池の充電状態を制御することを特徴とする請求項１乃至３記載の組電池充電状態制御装置。
【発明の詳細な説明】
【技術分野】
【０００１】
本発明は、組電池の充電状態を制御する組電池充電状態制御装置に関する。
【背景技術】
【０００２】
従来、組電池の充電状態を制御する組電池充電状態制御装置として、特開２００２−３２５３７０号公報に開示されている組電池システムがある。
【０００３】
組電池システムは、組電池と、セルばらつき調整装置と、組電池コントローラとを備えている。組電池は、充放電可能な複数の単位セルからなるセルグループを、直列接続して構成される直流電源である。セルばらつき調整装置は、セルグループ毎に設けられ、セルグループ内の単位セルのセル電圧を均等化する装置である。セルばらつき調整装置は、セル電圧がセルグループのグループ電圧で決まる平均セル電圧より大きくなると、単位セルを短絡して電荷を放電させ、セル電圧を平均セル電圧に調整する。組電池コントローラは、セルばらつき調整装置とセルグループとに接続され、セルばらつき調整装置の動作を制御するとともに、組電池内のセルグループのグループ電圧を均等化する装置である。組電池コントローラは、グループ電圧が予め設定されている上限値より大きくなると、セルグループを短絡して電荷を放電させ、グループ電圧を上限値に調整する。
【０００４】
そして、イグニッションスイッチがオン状態になると、組電池コントローラは、セルばらつき調整装置によるセル電圧の均等化を禁止するとともに、組電池内のセルグループのグループ電圧を均等化する。その後、セルばらつき調整装置はセルグループ内の単位セルのセル電圧を、組電池コントローラは組電池内のセルグループのグループ電圧をそれぞれ均等化する。
【特許文献１】特開２００２−３２５３７０号公報
【発明の開示】
【発明が解決しようとする課題】
【０００５】
イグニッションスイッチがオフ状態のとき、セルばらつき調整装置によるセル電圧の均等化と組電池コントローラによるグループ電圧の均等化は、それぞれ独立して行われる。例えば、図７に示すように、セル電圧が平均セル電圧に対してばらついている２つのセルグループＡ、Ｂにおいて、セル電圧の均等化前にグループ電圧が均等化された場合、放電の必要のないセルグループＡの最小セル電圧のセルの電荷も放電される。これにより、セルグループＡの最小セル電圧がさらに低下してしまう。
【０００６】
本発明は、このような事情に鑑みてなされたものであり、セルの不必要な放電を抑え、均等でしかも高いセル電圧を確保することができる組電池充電状態制御装置を提供することを目的とする。
【課題を解決するための手段】
【０００７】
そこで、本発明者は、この課題を解決すべく鋭意研究し試行錯誤を重ねた結果、セル放電電流をセルグループ放電電流より大きくすること、または、セル電圧調整後にグループ電圧を調整することで、セルの不必要な放電を抑えられることを思いつき、本発明を完成するに至った。
【０００８】
すなわち、請求項１に記載の組電池充電状態制御装置は、組電池を構成する、充放電可能な複数のセルからなるセルグループに接続され、前記セルのセル電圧に基づいて前記セルを放電させることで前記セル電圧を調整するセル電圧調整手段と、複数の前記セルグループに接続され、前記セルグループのグループ電圧に基づいて前記セルグループを放電させることで前記グループ電圧を調整するグループ電圧調整手段とを備えた組電池充電状態制御装置において、さらに、前記セル電圧調整手段が前記セルを放電させるときに前記セルに流れるセル放電電流が、前記グループ電圧調整手段が前記セルグループを放電させるときに前記セルグループに流れるセルグループ放電電流より大きいことを特徴とする。
【０００９】
請求項２に記載の組電池充電状態制御装置は、組電池を構成する、充放電可能な複数のセルからなるセルグループに接続され、前記セルのセル電圧に基づいて前記セルを放電させることで前記セル電圧を調整するセル電圧調整手段と、複数の前記セルグループに接続され、前記セルグループのグループ電圧に基づいて前記セルグループを放電させることで前記グループ電圧を調整するグループ電圧調整手段とを備えた組電池充電状態制御装置において、さらに、前記グループ電圧調整手段は、前記セル電圧調整手段が前記セルグループを構成する前記セルの前記セル電圧を調整した後に、前記セルグループの前記グループ電圧を調整することを特徴とする。
【００１０】
請求項３に記載の組電池充電状態制御装置は、請求項１又は２に記載の組電池充電状態制御装置において、さらに、前記セル電圧調整手段は、前記セルグループを構成する前記セル間の前記セル電圧のばらつきを低減し、前記グループ電圧調整手段は、前記組電池を構成する前記セルグループ間の前記グループ電圧のばらつきを低減することを特徴とする。
【００１１】
請求項４に記載の組電池充電状態制御装置は、請求項１乃至３に記載の組電池充電状態制御装置において、さらに、車両に搭載された組電池の充電状態を制御することを特徴とする。
【発明の効果】
【００１２】
請求項１に記載の組電池充電状態制御装置によれば、セル放電電流をセルグループ放電電流より大きくすることで、セルの不必要な放電を抑えることができる。そのため、セル電圧及びグループ電圧の調整後においても、高いセル電圧を確保することができる。これにより、組電池の性能を向上させるとともに、寿命を延ばすことができる。
【００１３】
セル放電電流がセルグループ放電電流より大きい場合、セル電圧は、グループ電圧より早く所定の電圧に調整される。そのため、グループ電圧の調整に伴うセルの不必要な放電を抑えることができる。
【００１４】
請求項２に記載の組電池充電状態制御装置によれば、セル電圧調整後にグループ電圧を調整することで、セルの不必要な放電を確実に抑えることができる。そのため、セル電圧及びグループ電圧の調整後においても、より高いセル電圧を確保することができる。
【００１５】
グループ電圧調整手段は、セル電圧が所定の電圧に調整された後に、それらのセルで構成されるセルグループのグループ電圧を所定の電圧に調整する。そのため、グループ電圧の調整に伴うセルの不必要な放電を確実に抑えることができる。
【００１６】
請求項３に記載の組電池充電状態制御装置によれば、セル間のセル電圧及びセルグループ間のグループ電圧のばらつきを低減し、均等化することができる。
【００１７】
請求項４に記載の組電池充電状態制御装置によれば、車両において、組電池を構成するセルの不必要な放電を抑え、均等でしかも高いセル電圧を確保することができる。
【発明を実施するための最良の形態】
【００１８】
本実施形態は、本発明に係る組電池充電状態制御装置を、ハイブリッド電気自動車の駆動用モータに電力を供給する組電池を有するとともに、組電池の充電状態を制御し充電状態に関するデータを出力する組電池システムに適用した例を示す。
【００１９】
（第１実施形態）
第１実施形態における組電池システムの構成図を図１に、組電池コントローラの回路図を図２に、セルばらつき調整装置の回路図を図３に、セルばらつき調整装置及び組電池コントローラの回路図を図４に、セル電圧及びグループ電圧の変化を表す説明図を図５に示す。そして、図１〜図５を参照して、構成、動作、効果の順で具体的に説明する。
【００２０】
まず、組電池システム１の構成について説明する。図１に示すように、組電池システム１は、組電池１０と、セルばらつき調整装置ＣＥＵ１〜ＣＥＵｎ（セル電圧調整手段）と、電流センサ１１と、組電池コントローラ１２（グループ電圧調整手段）とから構成されている。組電池コントローラ１２には、ハイブリッド電気自動車コントローラ２（以下ＨＥＶコントローラという）が接続されている。さらに、ＨＥＶコントローラ２には、インバータ３を介してモータ４が接続されている。
【００２１】
組電池１０は、例えば、充放電可能な４個のセルからなるｎ組のセルグループＣＧ１〜ＣＧｎを直列接続して構成される直流電源である。組電池１０の正極端子と負極端子はそれぞれインバータ３に接続されている。
【００２２】
セルばらつき調整装置ＣＥＵ１〜ＣＥＵｎは、それぞれ対応するセルグループＣＧ１〜ＣＧｎ毎に設けられ、セルグループＣＧ１〜ＣＧｎを構成する個々のセルのセル電圧のばらつきを低減して均等化する装置である。セルばらつき調整装置ＣＥＵ１〜ＣＥＵｎの入力端子は対応するセルグループＣＧ１〜ＣＧｎを構成する個々のセルの正極端子と負極端子にそれぞれ接続されている。また、セルばらつき調整装置ＣＥＵ１〜ＣＥＵｎの別の入力端子は直列接続され、セルばらつき調整装置ＣＥＵ１、ＣＥＵｎの入力端子の一端は組電池コントローラ１２にそれぞれ接続されている。
【００２３】
電流センサ１１は、組電池１０に流れる電流を検出するセンサである。電流センサ１１は、組電池１０の負極端子とインバータ３との間に配設され、電流センサ１１の出力端子は組電池コントローラ１２に接続されている。
【００２４】
組電池コントローラ１２は、セルグループＣＧ１〜ＣＧｎのグループ電圧のばらつきを低減して均等化するとともに、セルグループＣＧ１〜ＣＧｎの電圧、セルばらつき調整装置ＣＥＵ１〜ＣＥＵｎの出力及び組電池１０を流れる電流に基づいて、組電池１０の状態に関するデータを出力する装置である。組電池コントローラ１２の入力端子ＶＳ１〜ＶＳｎ＋１はセルグループＣＧ１〜ＣＧｎの正極端子と負極端子に、入力端子ＩＧはイグニッションスイッチ（図略）に、また、入力端子ＩＢは電流センサ１１にそれぞれ接続されている。さらに、出力端子ＣＣＰ、ＣＣＮはセルばらつき調整装置ＣＥＵ１、ＣＥＵｎの入力端子に、出力端子ＣＭＤはＨＥＶコントローラ２にそれぞれ接続されている。
【００２５】
次に、組電池コントローラ１２の具体的構成について詳細に説明する。図２に示すように、組電池コントローラ１２は、グループ電圧検出回路ＶＳＧ１〜ＶＳＧｎと、マルチプレクサ１２ａと、マイクロコンピュータ１２ｂと、デコーダ１２ｃと、フォトカプラＰＣ１〜ＰＣｎと、トランジスタＴＲ１〜ＴＲｎと、抵抗Ｒ１〜Ｒｎと、トランジスタ１２ｄと、抵抗１２ｅと、から構成されている。
【００２６】
グループ電圧検出回路ＶＳＧ１〜ＶＳＧｎは、それぞれ対応するセルグループＣＧ１〜ＣＧｎ毎に設けられ、セルグループＣＧ１〜ＣＧｎのグループ電圧を検出する回路である。グループ電圧検出回路ＶＳＧ１〜ＶＳＧｎの入力端子はそれぞれ対応する組電池コントローラ１２の入力端子ＶＳ１〜ＶＳｎ＋１に、出力端子はマルチプレクサ１２ａにそれぞれ接続されている。
【００２７】
マルチプレクサ１２ａは、グループ電圧検出装置ＶＳＧ１〜ＶＳＧｎのいずれか１つを選択して、検出したグループ電圧を出力する回路である。マルチプレクサの入力端子はグループ電圧検出回路ＶＳＧ１〜ＶＳＧｎの出力端子に、出力端子はマイクロプロセッサ１２ｂにそれぞれ接続されている。
【００２８】
マイクロプロセッサ１２ｂは、グループ電圧検出回路ＶＳＧ１〜ＶＳＧｎの検出したグループ電圧に基づいて放電させるセルグループを判定するとともに、イグニッションスイッチの状態に基づいてセルばらつき調整装置ＣＥＵ１〜ＣＥＵｎの動作を制御する素子である。さらに、グループ電圧検出回路ＶＳＧ１〜ＶＳＧｎの検出したグループ電圧、セルばらつき調整装置ＣＥＵ１〜ＣＥＵｎの出力及び電流センサ１１の検出した組電池１０を流れる電流に基づいて、組電池１０の状態に関するデータを出力する素子でもある。マイクロプロセッサ１２ｂの入力端子はマルチプレクサ１２ａの出力端子に接続されている。また、別の入力端子は、組電池コントローラ１２の入力端子ＩＧ、ＩＢにそれぞれ接続されている。さらに、出力端子は、デコーダ１２ｃと、トランジスタ１２ｄと、組電池コントローラ１２の出力端子ＣＭＤにそれぞれ接続されている。
【００２９】
デコーダ１２ｃは、マイクロプロセッサ１２ｂにおける、放電させるセルグループの判定結果に基づいて、対応するセルグループを放電させるための信号を出力する回路である。デコーダ１２ｃの入力端子はマイクロコンピュータ１２ｂに、出力端子はフォトカプラＰＣ１〜ＰＣｎにそれぞれ接続されている。
【００３０】
フォトカプラＰＣ１〜ＰＣｎは、デコーダ１２ｃの出力に基づいて、トランジスタＴＲ１〜ＴＲｎを入力端子側と絶縁して駆動する素子である。フォトカプラＰＣ１〜ＰＣｎの入力端子はデコーダ１２ｃの出力端子に、出力端子はトランジスタＴＲ１〜ＴＲｎにそれぞれ接続されている。
【００３１】
トランジスタＴＲ１〜ＴＲｎは、セルグループＣＧ１〜ＣＧｎを短絡して放電させるためのスイッチング素子である。抵抗Ｒ１〜Ｒｎは、トランジスタＴＲ１〜ＴＲｎがセルグループＣＧ１〜ＣＧｎを短絡して放電させたとき、セルグループＣＧ１〜ＣＧｎに流れるセルグループ放電電流を制限するための素子である。トランジスタＴＲ１〜ＴＲｎのベースはフォトカプラＰＣ１〜ＰＣｎの出力端子に、コレクタは抵抗Ｒ１〜Ｒｎを介して組電池コントローラ１２の入力端子ＶＳ１〜ＶＳｎに、エミッタは組電池コントローラ１２の入力端子ＶＳ２〜ＶＳｎ＋１にそれぞれ接続されている。
【００３２】
トランジスタ１２ｄは、マイクロコンピュータ１２ｂの出力に基づいてオン／オフすることで、セルばらつき調整装置ＣＥＵ１〜ＣＥＵｎの動作を制御するスイッチング素子である。抵抗１２ｅは、トランジスタ１２ｄがオンしたとき、セルばらつき調整装置ＣＥＵ１〜ＣＥＵｎに流れる電流を制限するための素子である。トランジスタ１２ｄのベースはマイクロコンピュータ１２ｂの出力端子に、コレクタは抵抗１２ｅを介して組電池コントローラ１２の出力端子ＣＣＮにそれぞれ接続され、エミッタは車体に接地されている。また、組電池コントローラの出力端子ＣＣＰは回路用電源Ｖｃｃに接続されている。
【００３３】
次に、セルばらつき調整装置ＣＥＵ１〜ＣＥＵｎの具体的構成について詳細に説明する。セルばらつき調整装置ＣＥＵ１〜ＣＥＵｎは互いに同じ構成であるため、ここでは、セルばらつき調整装置ＣＥＵ２についてのみ説明する。
【００３４】
図３に示すように、セルばらつき調整装置ＣＥＵ２は、グループ電圧分圧回路２０と、比較回路２１〜２３と、論理回路２４、２５と、トランジスタＴＲ２１〜ＴＲ２４と、抵抗Ｒ２１〜Ｒ２４と、セル放電禁止回路２６とから構成されている。
【００３５】
グループ電圧分圧回路２０は、セルグループＣＧ２のグループ電圧をセルの数に応じて均等に分圧し、セルＣ２１〜Ｃ２４における放電の実施可否を判定するための平均セル電圧を出力する回路である。グループ電圧分圧回路は抵抗２０ａ〜２０ｄで構成されている。抵抗２０ａ〜２０ｄは直列接続され、抵抗２０ａの一端はセルグループＣＧ２の正極端子に、抵抗２０ｆの一端はセルグループＣＧ２の負極端子にそれぞれ接続されている。
【００３６】
比較回路２１〜２３は、セルＣ２１〜Ｃ２４のセル電圧をグループ電圧分圧回路２０の出力する平均セル電圧と比較する回路である。比較回路２１、２３は、トランジスタＴＲ２１、ＴＲ２４をオン／オフするための信号を出力する回路でもある。比較回路２１の入力端子Ｅｒ１は抵抗２０ａと抵抗２０ｂの接続点に、入力端子Ｅｃ１はセルＣ２１の負極端子に、出力端子Ｓ１ＬはトランジスタＴＲ２１と論理回路２４とに、出力端子Ｓ１Ｈは論理回路２４にそれぞれ接続されている。比較回路２２の入力端子Ｅｒ２は抵抗２０ｂと抵抗２０ｃの接続点に、入力端子Ｅｃ２はセルＣ２２の負極端子に、出力端子Ｓ２Ｌ、Ｓ２Ｈは論理回路２４、２５にそれぞれ接続されている。比較回路２３の入力端子Ｅｒ３は抵抗２０ｃと抵抗２０ｄの接続点に、入力端子Ｅｃ３はセルＣ２３の負極端子に、出力端子Ｓ３Ｌは論理回路２５に、出力端子Ｓ３Ｈは論理回路２５とトランジスタＴＲ２４とにそれぞれ接続されている。
【００３７】
論理回路２４、２５は、比較回路２１〜２３の出力に基づいて、トランジスタＴＲ２、ＴＲ２３をオン／オフするための信号を出力する回路である。論理回路２４の入力端子Ｓ１Ｌ、Ｓ１Ｈは比較回路２１の出力端子Ｓ１Ｌ、Ｓ１Ｈに、入力端子Ｓ２Ｌ、Ｓ２Ｈは比較回路２２の出力端子Ｓ２Ｌ、Ｓ２Ｈにそれぞれ接続されている。また、出力端子ＳＤ２はトランジスタＴＲ２２に接続されている。論理回路２５の入力端子Ｓ２Ｌ、Ｓ２Ｈは比較回路２２の出力端子Ｓ２Ｌ、Ｓ２Ｈに、入力端子Ｓ３Ｌ、Ｓ３Ｈは比較回路２３の出力端子Ｓ３Ｌ、Ｓ３Ｈにそれぞれ接続されている。また、出力端子ＳＤ３はトランジスタＴＲ２３に接続されている。
【００３８】
トランジスタＴＲ２１〜ＴＲ２４は、比較回路２１〜２３及び論理回路２４、２５の出力に基づいて、セルＣ２１〜Ｃ２４を短絡して放電させるためのスイッチング素子である。抵抗Ｒ２１〜Ｒ２４は、トランジスタＴＲ２１〜ＴＲ２４がセルＣ２１〜Ｃ２４を短絡して放電させたとき、セルＣ２１〜Ｃ２４に流れるセル放電電流を制限するための素子である。ここで、抵抗Ｒ２１〜Ｒ２４の抵抗値は、セル放電電流がセルグループ放電電流より大きくなるような最適な値に設定されている。トランジスタＴＲ２１のベースは比較回路２１の出力端子Ｓ１Ｌに、コレクタは抵抗Ｒ２１を介してセルＣ２１の正極端子に、エミッタはセルＣ２１の負極端子にそれぞれ接続されている。トランジスタＴＲ２２、ＴＲ２３のベースは論理回路２４、２５の出力端子ＳＤ２、ＳＤ３に、コレクタは抵抗Ｒ２２、Ｒ２３を介してセルＣ２２、Ｃ２３の正極端子に、エミッタはセルＣ２２、Ｃ２３の負極端子にそれぞれ接続されている。トランジスタＴＲ２４のベースは比較回路２３の出力端子Ｓ３Ｈに、コレクタは抵抗Ｒ２４を介してセルＣ２４の正極端子に、エミッタはセルＣ２４の負極端子にそれぞれ接続されている。
【００３９】
セル放電禁止回路２６は、組電池コントローラ１２の出力端子ＣＣＮの出力に基づいて、トランジスタＴＲ２１〜ＴＲ２４をオフ状態にすることで、セルＣ２１〜Ｃ２４の放電を禁止する回路である。セル放電禁止回路２６は、ダイオード２６ａ〜２６ｄと、抵抗２６ｅ〜２６ｈと、フォトカプラ２６ｉとから構成されている。ダイオード２６ａのアノードは比較回路２１とトランジスタＴＲ２１の接続点に、カソードは抵抗２６ｅを介してフォトカプラ２６ｉにそれぞれ接続されている。ダイオード２６ｂ、２６ｃのアノードは論理回路２４、２５とトランジスタＴＲ２２、ＴＲ２３の接続点に、カソードは抵抗２６ｆ、２６ｇを介してフォトカプラ２６ｉにそれぞれ接続されている。ダイオード２６ｄのアノードは比較回路２３とトランジスタＴＲ２４の接続点に、カソードは抵抗２６ｈを介してフォトカプラ２６ｉにそれぞれ接続されている。フォトカプラ２６ｉの入力端子は組電池コントローラ１２の出力端子ＣＣＰ、ＣＣＮに、出力端子は抵抗２６ｅ〜２６ｈとセルグループＣＧ２の負極端子とにそれぞれ接続されている。
【００４０】
次に、図１、図４及び図５を参照して具体的動作について説明する。ハイブリッド電気自動車は、エンジンの運転効率が高い定速走行時には、エンジンの駆動力により走行する。図１に示すように、このとき、組電池１０の充電量が不足している場合、モータ４は、エンジンの駆動力によって回転することで発電機として機能し、インバータ３を介して組電池１０を充電する。これに対して、エンジンの運転効率が低い始動時及びフル加速時には、ハイブリッド電気自動車は、組電池１０からインバータ３を介して供給される電力によって発生するモータ４の駆動力を利用して走行する。
【００４１】
組電池システム１は、組電池１０を構成するセルグループＣＧ１〜ＣＧｎのグループ電圧及びセルグループＣＧ１〜ＣＧｎを構成する個々のセルのセル電圧のばらつきを低減して均等化する。さらに、セルグループＣＧ１〜ＣＧｎの電圧、セルばらつき調整装置ＣＥＵ１〜ＣＥＵｎの出力及び組電池１０を流れる電流に基づいて、組電池１０の状態に関するデータを出力する。ＨＥＶコントローラ２は、組電池システム１の出力する組電池１０の状態に関するデータに基づき、インバータ３を介してモータ４を適切に制御する。
【００４２】
図４及び図５を参照してセル電圧及びグループ電圧のばらつきの均等化の具体的動作について説明する。図４に示すように、セルばらつき調整装置ＣＥＵ２において、セルグループＣＧ２を構成するセルＣ２１〜Ｃ２４のセル電圧は、比較回路２１〜２３でグループ電圧分圧回路２０の出力する平均セル電圧と比較される。さらに、比較回路２１〜２３の出力は論理回路２４、２５で論理演算される。セルＣ２１〜Ｃ２４のいずれかのセル電圧が平均セル電圧より大きい場合、比較回路２１、２３及び論理回路２４，２５は、トランジスタＴＲ２１〜ＴＲ２４のうち対応するトランジスタをオンし、接続された抵抗を介してセルを放電させる。例えば、セルＣ２２のセル電圧が平均セル電圧より大きい場合、論理回路２４がトランジスタＴＲ２２をオンし、抵抗Ｒ２２を介してセルＣ２２を放電させる。同様にして、セルばらつき調整装置ＣＥＵ３において、セルＣ３１〜Ｃ３４のいずれかのセル電圧が平均セル電圧より大きい場合、比較回路３１、３３及び論理回路３４，３５は、トランジスタＴＲ３１〜ＴＲ３４のうち対応するトランジスタをオンし、接続された抵抗を介してセルを放電させる。
【００４３】
組電池コントローラ１２において、グループ電圧検出回路ＶＳＧ２、ＶＳＧ３で検出されたセルグループＣＧ２、ＣＧ３のグループ電圧は、マルチプレクサ１２ａを介してマイクロコンピュータ１２ｂに入力される。セルグループＣＧ２、ＣＧ３のいずれかのグループ電圧が大きい場合、マイクロコンピュータ１２ｂは、デコーダ１２ｃ及びフォトカプラＰＣ２、ＰＣ３を介してトランジスタＴＲ２、ＴＲ３のうち対応するトランジスタをオンし、接続された抵抗を介してセルグループを放電させる。例えば、セルグループＣＧ３のグループ電圧がセルグループＣＧ２のグループ電圧より大きい場合、マイクロコンピュータ１２ｂは、デコーダ１２ｃ及びフォトカプラＰＣ３を介してトランジスタＴＲ３をオンし、抵抗Ｒ３を介してセルグループＣＧ３を放電させる。
【００４４】
図５に示すように、セルグループＣＧ２、ＣＧ３にセル電圧及びグループ電圧のばらつきが発生している場合、セルばらつき調整装置ＣＥＵ２は、セルグループＣＧ２において、平均セル電圧より大きい電圧のセルを放電する。セルを放電することでセルグループＣＧ２のグループ電圧が低下し、それに伴い、平均セル電圧も低下する。このような動作を繰返し、セルグループＣＧ２の全てのセルのセル電圧が、セルグループＣＧ２の最小セル電圧に均等化される。セルグループＣＧ３においても同様に、セルばらつき調整装置ＣＥＵ３で、セルグループＣＧ３の全てのセルのセル電圧が、セルグループＣＧ３の最小セル電圧に均等化される。
【００４５】
セルばらつき調整装置ＣＥＵ２、ＣＥＵ３がセルを放電しているとき、同時に、組電池コントローラ１２は、セルグループＣＧ３に比べ平均セル電圧、つまり、グループ電圧の大きいセルグループＣＧ２を放電する。セルを放電することでセルグループＣＧ３の平均セル電圧がセルグループＣＧ２の平均セル電圧より大きくなると、組電池コントローラ１２はセルグループＣＧ３を放電する。セルグループＣＧ２、ＣＧ３を放電することでセルグループＣＧ２、ＣＧ３の最小セル電圧も低下する。
【００４６】
しかし、セル放電電流がセルグループ放電電流より大きくなるように設定されているため、セル電圧の均等化がグループ電圧の均等化より必ず先に完了する。従って、従来に比べ、セルグループ放電時におけるセルの不必要な電荷の放電を低減してセル電圧の低下を抑えることができる。
【００４７】
最後に具体的効果について説明する。本実施形態によれば、セルばらつき調整装置ＣＥＵ１〜ＣＥＵｎ及び組電池コントローラ１２は、セル放電電流をセルグループ放電電流より大きくすることで、セルの不必要な放電を抑えることができる。そのため、セル電圧及びグループ電圧の調整後においても、高いセル電圧を確保することができる。これにより、組電池の性能を向上させるとともに、寿命を延ばすことができる。
【００４８】
また、セル間のセル電圧及びセルグループ間のグループ電圧のばらつきを低減し、均等化することができる。さらに、車両において、組電池１０を構成するセルの不必要な放電を抑え、均等でしかも高いセル電圧を確保することができる。
【００４９】
（第２実施形態）
次に、第２実施形態におけるセル電圧及びグループ電圧の変化を表す説明図を図６に示す。第２実施形態における組電池システムは、第１実施形態における組電池システムとほぼ同一の構成であるため、第１実施形態における図を参照して説明する。ここでは、第１実施形態における組電池システムとの相違部分であるセル放電電流を制限する抵抗の抵抗値と、セルばらつき調整装置及び組電池コントローラの動作について説明し、共通する部分については、必要とされる箇所以外説明を省略する。
【００５０】
まず、図３を参照してセル放電電流を制限する抵抗について説明する。図３に示すように、抵抗Ｒ２１〜Ｒ２４の抵抗値は、グループ放電電流の大きさに関係なく任意の値に設定されている。
【００５１】
次に、図４及び図６を参照してセルばらつき調整装置及び組電池コントローラの具体的動作について説明する。図６に示すように、セルグループＣＧ２、ＣＧ３にセル電圧及びグループ電圧のばらつきが発生している場合、マイクロコンピュータ１２ｂは、デコーダ１２ｃ及びフォトカプラＰＣ２、ＰＣ３を介してトランジスタＴＲ２、ＴＲ３をオフし、セルグループＣＧ２、ＣＧ３の放電を禁止する。セルばらつき調整装置ＣＥＵ２は、セルグループＣＧ２において、平均セル電圧より大きい電圧のセルを放電する。セルを放電することでセルグループＣＧ２のグループ電圧が低下し、それに伴い、平均セル電圧も低下する。このような動作を繰返し、セルグループＣＧ２の全てのセルのセル電圧が、セルグループＣＧ２の最小セル電圧に均等化される。セルグループＣＧ３においても同様に、セルばらつき調整装置ＣＥＵ３で、セルグループＣＧ３の全てのセルのセル電圧が、セルグループＣＧ３の最小セル電圧に均等化される。
【００５２】
セルグループＣＧ２、ＣＧ３のセル電圧が均等化されるのに充分な時間が経過した後、マイクロコンピュータ１２ｂはトランジスタ１２ｄをオンする。トランジスタ１２ｄがオンすることで、セル放電禁止回路２６，３６を介してトランジスタＴＲ２１〜ＴＲ２４、ＴＲ３１〜ＴＲ３４をオフし、セルばらつき調整装置ＣＥＵ２、ＣＥＵ３によるセルＣ２１〜Ｃ２４、Ｃ３１〜Ｃ３４の放電を禁止する。さらに、組電池コントローラ１２は、セルグループＣＧ２に比べ平均セル電圧、つまり、グループ電圧の大きいセルグループＣＧ３を放電する。セルグループＣＧ３を放電することでセルグループＣＧ２、ＣＧ３は、セル電圧及びグループ電圧均等化前のセルグループＣＧ２の最小セル電圧に均等化される。
【００５３】
最後に具体的効果について説明する。本実施形態によれば、セルばらつき調整装置ＣＥＵ１〜ＣＥＵｎ及び組電池コントローラ１２は、セル電圧のばらつきの均等化後にグループ電圧のばらつきを均等化することで、セルの不必要な放電を確実に抑えることができる。そのため、セル電圧及びグループ電圧のばらつきの均等化後においても、より高いセル電圧を確保することができる。
【図面の簡単な説明】
【００５４】
【図１】第１実施形態における組電池システムの構成図を示す。
【図２】組電池コントローラの回路図を示す。
【図３】セルばらつき調整装置の回路図を示す。
【図４】セルばらつき調整装置及び組電池コントローラの回路図を示す。
【図５】セル電圧及びグループ電圧の変化を表す説明図を示す。
【図６】第２実施形態におけるセル電圧及びグループ電圧の変化を表す説明図を示す。
【図７】従来の組電池システムにおけるセル電圧及びグループ電圧の変化を表す説明図を示す。
【符号の説明】
【００５５】
１・・・組電池システム、１０・・・組電池、ＣＧ１〜ＣＧｎ・・・セルグループ、Ｃ２１〜Ｃ２４、Ｃ３１〜Ｃ３４・・・セル、１１・・・電流センサ、１２・・・組電池コントローラ（グループ電圧調整手段）、ＶＳＧ１〜ＶＳＧｎ・・・グループ電圧検出回路、１２ａ・・・マルチプレクサ、１２ｂ・・・マイクロコンピュータ、１２ｃ・・・デコーダ、ＰＣ１〜ＰＣｎ・・・フォトカプラ、ＴＲ１〜ＴＲｎ・・・トランジスタ、Ｒ１〜Ｒｎ・・・抵抗、１２ｄ・・・トランジスタ、１２ｅ・・・抵抗、ＣＥＵ１〜ＣＥＵｎ・・・セルばらつき調整装置（セル電圧調整手段）、２０、３０・・・グループ電圧分圧回路、２０ａ〜２０ｄ・・・抵抗、２１〜２３、３１〜３３・・・比較回路、２４、２５、３４、３５・・・論理回路、ＴＲ２１〜ＴＲ２４、ＴＲ３１〜ＴＲ３４・・・トランジスタ、Ｒ２１〜Ｒ２４、Ｒ３１〜Ｒ３４・・・抵抗、２６、３６・・・セル放電禁止回路、２６ａ〜２６ｄ・・・ダイオード、２６ｅ〜２６ｈ・・・抵抗、２６ｉ・・・フォトカプラ
、２・・・ハイブリッド電気自動車コントローラ（ＨＥＶコントローラ）、３・・・インバータ、４・・・モータ
【図１】
2006050716.tif 000003
【図２】
2006050716.tif 000004
【図３】
2006050716.tif 000005
【図４】
2006050716.tif 000006
【図５】
2006050716.tif 000007
【図６】
2006050716.tif 000008
【図７】
2006050716.tif 000009